(57)【要約】【課題】  使用者の視線移動の負担を軽減する表示ユニット装着アタッチメントおよび表示装置を提供すること。【解決手段】  表示ユニット装着アタッチメント２１０は、接眼レンズ３０４を有する手術顕微鏡３に装着される。表示ユニット装着アタッチメント２１０は、手術顕微鏡３に装着される装着部材２１１と、接眼レンズ３０４を介して直接観察される被検体の像とは異なる情報であって、手術顕微鏡３の使用者による作業を補助するための情報が表示される表示画面２０１が設けられた表示ユニット２００を保持し、装着部材２１１が手術顕微鏡３に装着された装着状態において、手術顕微鏡３の接眼レンズ３０４の周りに表示ユニット２００の表示画面２０１を配置する表示ユニット保持部材２１４と、を備えている。【選択図】      図３
2015197538.tif 000002
【特許請求の範囲】
【請求項１】
接眼レンズを有する観察装置に装着される表示ユニット装着アタッチメントであって、
前記観察装置に装着される装着部と、
前記接眼レンズを介して直接観察される被検体の像とは異なる情報であって、前記観察装置の使用者による作業を補助するための情報が表示される表示画面が設けられた表示ユニットを保持し、前記装着部が前記観察装置に装着された装着状態において、前記観察装置の接眼レンズの周りに前記表示ユニットの表示画面を配置する保持部を備えていることを特徴とする表示ユニット装着アタッチメント。
【請求項２】
前記装着部は、前記鏡筒の外周に沿うように前記鏡筒を保持することによって、前記観察装置に装着されることを特徴とする請求項１記載の表示ユニット装着アタッチメント。
【請求項３】
前記装着状態において、前記表示ユニットの位置を調節可能な調節機構を有していることを特徴とする請求項１又は２に記載の表示ユニット装着アタッチメント。
【請求項４】
前記調節機構は、前記接眼レンズのレンズ軸方向における前記表示ユニットの位置を変更することによって、使用者の眼に対する前記レンズ軸方向における前記表示画面の位置を調節可能な前後調節機構を含むことを特徴とする請求項３記載の表示ユニット装着アタッチメント。
【請求項５】
前記調節機構は、前記接眼レンズの左右方向における前記表示ユニットの位置を変更することによって、使用者の眼に対する前記左右方向における前記表示画面の位置を調節可能な前後調節機構を含むことを特徴とする請求項３又は４に記載の表示ユニット装着アタッチメント。
【請求項６】
前記調節機構は、前記表示ユニットを前記接眼レンズのレンズ軸と向きが交差する軸を中心に回転するによって、使用者の眼に対する前記表示画面の正面方向の向きを調節するための正面方向調節機構を含むことを特徴とする請求項３から５の何れかに記載の表示ユニット装着アタッチメント。
【請求項７】
前記調節機構は、使用者の眼に対する表示画面の高さを調節するための上下調節機構を含むことを特徴とする請求項３から６の何れかに記載の表示ユニット装着アタッチメント。
【請求項８】
請求項１から７の何れかに記載の表示ユニット装着アタッチメントと、前記表示ユニット装着アタッチメントの保持部に保持される表示ユニットと、を含むことを特徴とする表示装置。
【請求項９】
前記表示ユニットは、前方に覗き口が形成された筒状の筐体を有し、
前記表示ユニットの表示画面は、前記覗き口から後方に間隔を開け、且つ、前記覗き口から前記筐体の内部を覗くことによって視認可能な位置に配置されることを特徴とする請求項８記載の表示ユニット。
【請求項１０】
前記表示ユニットは、前記被検体の組織で反射された測定光と参照光とによる干渉信号を検出器にて検出する干渉光学系を備える光断層像撮影装置が前記検出器からの信号を処理することによって撮影した前記被検体の組織の断層画像を、前記表示画面にて表示することを特徴とする請求項８又は９に記載の表示装置。
【請求項１１】
前記表示ユニットは、被検体の内部に挿入されるプローブを介して前記測定光を被検体の組織に照射することによって前記光断層像撮影装置が撮影した前記断層画像を前記表示画面にて表示することを特徴とする請求項１０記載の表示装置。
【発明の詳細な説明】
【技術分野】
【０００１】
本発明は、表示ユニット装着アタッチメントおよび表示装置に関する。
【背景技術】
【０００２】
従来から、被検体の組織を拡大して観察するための観察装置の一種として、例えば、手術顕微鏡が知られている。手術顕微鏡には、少なくとも一つの接眼レンズが設けられている。手術顕微鏡の使用者は、接眼レンズを覗き込むようにして被検体内部の正面像を観察する（特許文献１参照）。また、接眼レンズを介して被検体内部が観察されながら、手術および診断等の作業が行われる。
【先行技術文献】
【特許文献】
【０００３】
【特許文献１】特開２００５−１６５２９２号公報
【発明の概要】
【発明が解決しようとする課題】
【０００４】
観察装置の使用者がより良好に作業を行うために、作業を補助するための情報を、観察装置とは別体の表示装置で表示することが考えられる。しかし、従来、表示装置の画面は、観察装置から離れて配置されていた。よって、観察装置の接眼レンズと表示装置の画面との間での視線移動は、使用者にとって負担となっていた。視線移動による負担が大きいほど、使用者が作業を適正に行うことは難しくなる。
【０００５】
本発明は、上記従来技術の問題点を解決するためになされたものであり、使用者の視線移動の負担を軽減する表示ユニット装着アタッチメントおよび表示装置を提供することを目的とする。
【課題を解決するための手段】
【０００６】
本発明の第一態様に係る表示ユニット装着アタッチメントは、接眼レンズを有する観察装置に装着される表示ユニット装着アタッチメントであって、前記観察装置に装着される装着部と、前記接眼レンズを介して直接観察される被検体の像とは異なる情報であって、前記接眼レンズを介して被検体が観察されつつ行われる作業を補助するための情報が表示される表示画面が設けられた表示ユニットを保持し、前記装着部が前記観察装置に装着された装着状態において、前記観察装置の接眼レンズの周りに前記表示ユニットの表示画面を配置する保持部を備えている。
【０００７】
本発明の第二態様に係る表示装置は、第一態様に係る表示ユニット装着アタッチメントと、表示ユニット装着アタッチメントの保持部に保持される表示ユニットと、を含む。
【発明の効果】
【０００８】
本発明によれば、使用者の視線移動の負担を軽減できる。
【図面の簡単な説明】
【０００９】
【図１】観察システム１００の概略構成を示す図である。
【図２】（ａ）は、表示装置２の画面における録画時の表示態様を示し、（ｂ）は、表示装置２の画面における再生時の表示態様を示す。
【図３】表示装置２の正面図である。
【図４】表示装置２の平面図である。
【図５】（ａ）は、鏡筒３０２に対する装着部材２１１の変形例の装着状態を示し、（ｂ）は、鏡筒３０２に対して径の小さな鏡筒４０２に対する装着部材２１１の変形例の装着状態を示し、（ｃ）は、装着部材の変形例を、（ａ）の矢印Ｉ方向から見た図を示す。
【図６】変形例に係る装着機構２３０を示した模式図である。
【図７】変形例に係る装着機構２４０を示した模式図である。
【発明を実施するための形態】
【００１０】
以下、本発明の一実施形態について、図面を参照して説明する。まず、図１を参照して、本実施形態に係る観察システム１００の概略構成について説明する。本実施形態の観察システム１００は、主に、光断層像撮影装置（光コヒーレンストモグラフィーデバイス）１と、表示装置２と、を含む。また、観察システム１００は、手術顕微鏡３等の観察装置を含んでいてもよい。
【００１１】
光断層像撮影装置（光コヒーレンストモグラフィーデバイス）１は、被検体内の組織の断層画像を、被検体内に挿入されるプローブ４を利用して撮影する。本実施形態では、被検眼Ｅの内部組織（例えば、網膜）の断層画像を撮影する眼科撮影装置を例示して説明を行う。しかし、本発明は、眼以外の被検体（例えば、内臓、耳等）の断層画像を撮影する装置にも適用できる。光断層像撮影装置１は、測定部１０と制御部３０を備える。
【００１２】
測定部１０は、光断層干渉計（ＯＣＴ：Ｏｐｔｉｃａｌ  Ｃｏｈｅｒｅｎｃｅ  Ｔｏｍｏｇｒａｐｈｙ）の構成（例えば、干渉光学系）を備える。本実施形態の測定部１０は、測定光源１１、エイミング光源１２、カップラー１３、カップラー１４、参照光学系１５、装着部１６、ファイバ回転モータ１７、検出器（受光素子）１８および光路長変更ユニット１９を備える。
【００１３】
測定光源１１は、断層画像を取得するための光を出射する。一例として、本実施形態の光断層像撮影装置１は、出射するレーザ光の波長を高速で変化させることが可能な測定光源１１を備えることで、Ｓｗｅｐｔ−ｓｏｕｒｃｅ  ＯＣＴ（ＳＳ−ＯＣＴ）計測によって断層画像を取得する。本実施形態の測定光源１１は、レーザ媒体、共振器、および波長選択フィルタ等によって構成される。波長選択フィルタとして、例えば、回折格子とポリゴンミラーの組み合わせ、または、ファブリー・ペローエタロンを用いたフィルタ等を採用できる。
【００１４】
エイミング光源１２は、測定光の照射位置（つまり、断層画像の撮影位置。）を示すための可視光であるエイミング光を出射する。
【００１５】
カップラー１３は、測定光源１１から出射された光と、エイミング光源１２から出射されたエイミング光とを合波し、２つの光の光軸を一致させる。カップラー１４は、カップラー１３から入射された光を、測定光（試料光）と参照光に分割する。測定光は、装着部１６に装着されたプローブ４に導波される。参照光は、参照光学系１５に導波される。また、カップラー１４は、被検眼Ｅによって反射された測定光（反射測定光）と、参照光学系１５によって生成された参照光とを合成して干渉光を生成する。カップラー１４は、生成した干渉光を検出器１８に受光させる。
【００１６】
参照光学系１５は、カップラー１４から導波された参照光を再びカップラー１４に戻す。参照光学系１５は、マイケルソンタイプであってもよいし、マッハツェンダタイプであってもよい。本実施形態では、参照光学系１５は、参照ミラー等を備えた反射光学系によって、カップラー１４から導かれた参照光を反射させて、カップラー１４に再び戻す。前述したように、カップラー１４に戻された参照光は、被検眼Ｅによる反射測定光と合成される。なお、参照光学系１５の構成は変更できる。例えば、参照光学系１５は、カップラー１４から導かれた参照光を反射させずに、光ファイバ等の透過光学系によって検出器１８へ透過させてもよい。
【００１７】
装着部（例えばコネクタ）１６には、プローブ４におけるファイバ５の後端部（基端部）が着脱可能に装着される。本実施形態のプローブ４は、ファイバ５、ハンドピース６、およびニードル７を備える。ファイバ５は、測定部１０のカップラー１４から導かれた測定光とエイミング光を、ニードル７の先端部まで導波する。ファイバ５はトルクコイル（図示せず）によって被覆されており、ハンドピース６に対して回転自在である。ハンドピース６は、観察装置の使用者（例えば、検者、術者等）によって把持される略筒状の部材である。ニードル７は、ハンドピース６の先端に設けられており、ハンドピース６の外径よりも小さい外径を有する。ニードル７の先端部は、被検体（例えば、被検眼Ｅ）の内部に挿入される。ファイバ５は、ハンドピース６の後端部に接続し、ニードル７の先端部まで延びている。プローブ４は、ファイバ５によって導波された測定光およびエイミング光を走査させながら、先端部から出射することができる。プローブ４における先端部の構造の詳細については、説明を省略する。
【００１８】
ファイバ回転モータ１７は、プローブ４のファイバ５が装着された装着部１６を、ファイバ５の軸を中心として回転させることができる。つまり、ファイバ回転モータ１７は、装着部１６を回転させることでファイバ５を回転させて、測定光およびエイミング光を走査させる。
【００１９】
検出器１８は、反射測定光と参照光の干渉状態を検出する。換言すると、検出器１８は、カップラー１４によって生成された干渉光の干渉信号を検出する。より詳細には、フーリエドメインＯＣＴの場合には、干渉光のスペクトル強度が検出器１８によって検出され、スペクトル強度データに対するフーリエ変換によって、所定範囲における深さプロファイル（Ａスキャン信号）が取得される。前述したように、本実施形態の光断層像撮影装置１には、ＳＳ−ＯＣＴが採用されている。しかし、光断層像撮影装置１には、種々のＯＣＴを採用できる。例えば、Ｓｐｅｃｔｒａｌ−ｄｏｍａｉｎ  ＯＣＴ（ＳＤ−ＯＣＴ）、Ｔｉｍｅ−ｄｏｍａｉｎ  ＯＣＴ（ＴＤ−ＯＣＴ）等のいずれを光断層像撮影装置１に採用してもよい。ＳＳ−ＯＣＴを採用する場合、複数の受光素子を有する平衡検出器を検出器１８として採用するのが望ましい。平衡検出器を用いる場合、光断層像撮影装置１は、複数の受光素子からの干渉信号の差分を得て、干渉信号に含まれる不要なノイズを削減することができる。その結果、断層画像の品質が向上する。
【００２０】
なお、測定部１０は、測定光と参照光の光路長差を変更する光路長変更部１９を有する。本実施形態の光路長変更ユニット１９は、参照光学系１５が備える光学部材（例えば、参照ミラー）と、駆動部とを含む。参照ミラーは、参照光の光路中に配置され、駆動部によって参照光の光軸方向に移動される。その結果として、測定光と参照光との光路長差が変更される。ただし、光路長差を変更するための構成は、測定光の光路中に配置されてもよい。また、光断層像撮影装置１は、測定光のフォーカス調整を行うための光学系等の種々の構成をさらに備えるが、これらの詳細な説明は省略する。
【００２１】
制御部３０は、ＣＰＵ（プロセッサ）３１、ＲＡＭ３２、ＲＯＭ３３、および不揮発性メモリ３４等を備える。ＣＰＵ３１は、光断層像撮影装置１、および周辺機器の制御を司る。ＲＡＭ３２は、各種情報を一時的に記憶する。ＲＯＭ３３には、各種プログラム、初期値等が記憶されている。不揮発性メモリ３４は、電源の供給が遮断されても記憶内容を保持できる非一過性の記憶媒体である。例えば、ハードディスクドライブ、フラッシュＲＯＭ、および、光断層像撮影装置１に着脱可能に装着されるＵＳＢメモリ等を、不揮発性メモリ３４として使用することができる。不揮発性メモリ３４には、撮影された断層画像等の各種情報が記憶される。
【００２２】
制御部３０には、表示装置２、手術顕微鏡３、および操作部８等の周辺機器が電気的に接続される。
【００２３】
手術顕微鏡３は、被検体（本実施形態では被検眼Ｅ）の正面像を観察するために使用される。手術顕微鏡３は、被検体（本実施形態では被検眼Ｅ）の内部を拡大表示（本実施形態では撮影して拡大表示）する。手術顕微鏡３の使用者（例えば、検者、および術者等）は、手術、診断、またはこれらの訓練（本実施形態では、これらをまとめて「作業」という。）を行う際に、手術顕微鏡３の接眼レンズ３０４（図３参照）を覗き込むことによって被検体の内部を観察する。
【００２４】
表示装置２は、観察装置（本実施形態では、手術顕微鏡３）を用いて被検体を観察しながら行われる作業を補助するための情報を表示するデバイスである。表示装置２によって表示される情報には、静止画または動画等の画像情報、および文字などのテキスト情報の少なくともいずれかが含まれる。作業を補助するための情報は、実際の被検体に基づいて取得されたものであってもよいし、予め用意されたものであってもよい。作業を補助するための情報としては、例えば、被検体の撮影画像データ（より具体的には、断層画像データ、蛍光撮影画像データ、拡大撮影画像データ等）、被検体のカルテデータ、手術方法等のマニュアルデータ、観察装置の観察条件データ等が例示される。
【００２５】
本実施形態において、表示装置２には、手術顕微鏡３とは別種の（即ち、モダリティの異なる）装置である光断層像撮影装置１によって撮影された断層画像が表示される。本実施形態において、断層画像の表示制御は、制御部３０によって行われる。本実施形態において、制御部３０は、光断層像撮影装置１によってリアルタイムで撮影される被検体の組織の断層画像のライブ画像（図２（ａ）参照）を表示装置２に表示させる。ここで、手術（例えば、硝子体手術等）においては、プローブ４が挿入される被検体の切開創が、手術器具を被検体の内部に挿入するためにも利用される場合がある。手術器具は、被検体からプローブ４が取り出された状態で挿入される。よって、術中は、プローブ４を用いて断層画像を撮影できない場合がある。これに対し、本実施形態の観察システム１００は、光断層像撮影装置１によって予め録画（又は、取得）された過去の断層画像（例えば、過去のライブ画像）を、表示装置２に表示する。
【００２６】
光断層像撮影装置１によって撮影される画像は、制御部３０によって録画される。録画される画像は、不揮発性メモリ３４に記憶される。本実施形態において、制御部３０は、表示装置２におけるライブ画像の表示と並行して録画できる。録画が行われている間、制御部３０は、断層画像と共に、録画されている旨を示す表示を画面上で行う。例えば、図２（ａ）に示すように、録画中を示す「ＲＥＣ」の文字を、被検体の組織の断層画像と合成表示する。その結果、使用者は、表示中の画像が録画されていることを把握できる。
【００２７】
また、制御部３０は、使用者等からの指示を受け付けた場合に、不揮発性メモリ３４に記憶（録画）された画像を表示装置２上で表示（つまり、再生）する。本実施形態において、表示装置２には、過去のライブ画像が連続的に（つまり、動画的に）表示される。画像が再生される間、制御部３０は、再生が行われている旨を示す表示を画面上で行う。例えば、図２（ｂ）に示すように、再生中を示す「ＰＬＡＹ」の文字を、被検体の組織の断層画像と合成表示する。その結果、使用者は、録画された画像の再生が行われていることを把握できる。但し、録画される画像、および再生時に表示される画像は、いずれもライブ画像である必要はなく、静止画像であってもよい。
【００２８】
詳細は後述するが、本実施形態において、表示装置２は、手術顕微鏡３に装着された状態で使用される。表示装置２の詳細構成については、図３及び図４を参照して後述する。なお、光断層像撮影装置１は、表示装置２の他に、表示装置２とは別体の表示装置と接続されてもよい。別体の表示装置は、表示装置２と同様のデバイスであってもよく、ＰＣのモニタ等の汎用の装置であってもよい。
【００２９】
操作部８は、使用者による各種操作指示を認識するためのデバイスである。操作部８には、例えば、マウス、ジョイスティック、キーボード、タッチパネル等の少なくともいずれかを用いてもよい。
【００３０】
図３及び図４を参照し、手術顕微鏡３にて接眼レンズ３０４が設けられる鏡筒ユニット３００、および表示装置２の詳細構成を説明する。なお、図３および図４の説明において、鏡筒ユニット３００の左右方向、上下方向、および前後方向のそれぞれは、矢印ｘ、矢印ｙ、および矢印ｚのそれぞれによって示される。
【００３１】
本実施形態において、鏡筒ユニット３００は、基部３０１と、鏡筒３０２と、鏡筒保持部３０３と、接眼レンズ３０４とを含む。鏡筒ユニット３００は、一台の手術顕微鏡３に一つだけ設けられていてもよいし、複数設けられていてもよい。
【００３２】
鏡筒３０２は、接眼レンズ３０４を保持する。鏡筒３０２は、接眼レンズ３０４のレンズ軸Ｌ方向（図４参照）に所定の範囲で接眼レンズ３０４の位置を変更できる。本実施形態において鏡筒３０２は、使用者の両眼と対応して、２本設けられている。鏡筒支持部３０３は、基部３０１に対して矢印Ｓ方向（図３参照）に開閉されることによって、左右の鏡筒３０１の間隔が変更される。観察の際には、左右の鏡筒３０１の間隔は、使用者の両眼の間隔に調節される。接眼レンズ３０４は、手術顕微鏡３の撮影光学系（図示せず）によって拡大された被検体の内部の像（本実施形態では、被検眼眼底の正面像）を、接眼レンズ３０４（および鏡筒３０２）を覗く使用者眼（図示せず）に投影する。本実施形態において、接眼レンズ３０４は、鏡筒３０１の開口から奥まった位置に配置される。
【００３３】
本実施形態において、表示装置２は、主に表示ユニット２００と、装着機構２１０と、を有する。本実施形態において、表示ユニット２００は、光断層像撮影装置１によって得られる被検眼Ｅの組織の断層画像を表示するモニタの構成を含む。表示ユニット２００は、表示画面２０１と、筐体２０２とを有する。本実施形態において、筐体２０２は、前側（図３紙面手前側）に覗き口２０２ａを有し、筒状に形成される。本実施形態において、表示ユニット２００の覗き口２０２ａには、に透明板（例えば、ガラス、プラスチックなどの平板、又は、レンズ等）がはめ込まれており、表示画面２０１（例えば、液晶パネル）は、覗き口２０２ａ（つまり、透明板）から後方に間隔を開けて配置される。本実施形態において、表示画面２０１は、覗き口２０２ａから覗き込まれることによって、使用者に視認される位置に配置される。
【００３４】
装着機構２１０は、接眼レンズを有する観察装置（本実施形態では、手術顕微鏡３）に装着される表示ユニット装着アタッチメントである。装着機構２１０は、表示ユニット２００を保持すると共に、手術顕微鏡３に装着され、且つ、手術顕微鏡３に装着された装着状態で手術顕微鏡３が持つ接眼レンズ３０４の周りに表示画面２０１を配置する。例えば、装着状態において、表示画面２０１は、接眼レンズ３０４の上下左右のいずれかに接眼レンズ３０４と並べて置かれる。なお、接眼レンズ３０４に対して斜めになる位置（右上、左上、右下、左下）に表示画面２０１が置かれてもよい。また、図３及び図４に示すように、装着機構２１０は、表示画面２０１の正面が接眼レンズ３０４の後面（つまり、鏡筒３０２の開口側の面）と同時に使用者側を向くように配置可能である。装着機構２１０によって接眼レンズ３０４の周りに表示画面２０１が配置されるので、手術顕微鏡３の接眼レンズ３０４を介して直接観察される被検体の内部の正面像と光断層像撮影装置１を用いて撮影される被検体の組織の断層画像とを、少ない視線移動で続けて観察できる。また、図３及び図４に示すように、本実施形態の装着機構２１０は、左右いずれかの鏡筒３０２の側方に表示画面２０１を配置できる。更に具体的には、本実施形態の装着機構２１０は、両眼観察の手術顕微鏡３に対し、左右の接眼レンズ３０４の外側に表示画面２０１を配置する。左右の接眼レンズ３０４の内側（間）よりも外側のほうが設置スペースを取りやすいので、表示装置２は、両眼観察の手術顕微鏡３に対して良好に装着される。
【００３５】
なお、図３及び図４の例において、表示画面２０１の縦および横の幅は、接眼レンズ３０４の径（有効径）と同程度である。その結果、例えば、接眼レンズ３０４と表示画面２０１との間で視線移動を行った際に、使用者眼の位置を前後に移動させなくても同程度の画角で被検体が観察される。よって、使用者がスムーズに観察を行いやすい。
【００３６】
また、前述したように、手術顕微鏡３で得られる被検体の内部の像、および、光断層画像装置１で撮影された断層画像は、それぞれ鏡筒３０２および覗き口２０２ａを覗くことによって観察されるので、接眼レンズ３０４と表示画面２０１との間で視線移動が行われる際に、使用者は違和感を受けにくい。
【００３７】
図３に示すように、本実施形態において、装着機構２１０は、装着部材２１１と、リンク固定部材２１２と、リンク部材２１３と、表示ユニット保持部材２１４と、を有する。
【００３８】
装着部材２１１は、手術顕微鏡３に表示装置２を固定するために使用される。図３に示すように、装着部材２１１は、本体部２１１ａおよび連結部２１１ｂを有する。本体部２１１ａは、円弧状に形成されており、本体部２１１ａにおける円弧の内面は、鏡筒３０２と当接される。なお、図３の例において、円弧の内面は、鏡筒３０２のカーブに沿うように形成されている。本体部２１１ａの両端２１１ｃ，２１１ｄには、バンド２１１ｅ（例えば、結束バンド）が連結される（図５（ａ）参照）。バンドを鏡筒３０２に巻きつけることによって、装着部材２１１は、鏡筒３０２の外周に沿うように鏡筒３０２を保持する。その結果、鏡筒３０２に対して装着部材２１１が固定される。上記のとおり、本実施形態では、装着部材２１１が鏡筒３０２の外周に沿うようにして取り付けられることによって、手術顕微鏡３に表示装置２が固定される。なお、装着部材２１１が取り付けられる位置は、鏡筒３０２の外周のカーブに沿って移動できる。
【００３９】
連結部２１１ｂには、リンク固定部材２１２が連結される。連結部２１１ｂは、本体部２１１ａにおける円弧の外周側から半径方向に突出して形成される。連結部２１１ｂには、本体部２１１ａが伸びる方向と同じ向きに形成された貫通口（図示せず）を有する。リンク固定部材２１２は、貫通口に挿入されることによって装着部材２１１に連結される。なお、リンク固定部材２１２は、貫通口の深さ方向に沿った軸Ａを中心に回転自在に保持される。
【００４０】
リンク固定部材２１２は、軸Ａに対し交差する軸Ｂ（本実施形態では、直交する軸Ｂ）を中心にリンク部材２１３が旋回できるようにリンク部材２１３の一端を連結する。
【００４１】
リンク部材２１３には、軸Ｂと同方向に貫通した長穴２１３ａ（スリット）が、リンク部材２１３の長手方向に沿って形成される（図４参照）。表示ユニット保持部材２１４は、長穴２１３ａによって保持される。本実施形態では、このようにして、リンク部材２１３が表示ユニット保持部材２１４を支持する。リンク部材２１３は、長穴２１３ａによって、表示ユニット保持部材２１４をリンクの長手方向に変位させるスライダが形成される。表示ユニット保持部材２１４には、表示ユニット２００が支持されるので、スライダを用いることによって、表示ユニット２００の位置を、リンクの長手方向に変位させることができる。
【００４２】
また、表示ユニット保持部材２１４は、リンク部材２１３の長手軸と直交する軸Ｃを中心に回転自在に支持される。よって、表示ユニット２００の正面を、軸Ｃと直交する任意の向きに調節できる。なお、本実施形態において、軸Ｃは軸Ｂと平行である。なお、表示ユニット保持部材２１４は、表示ユニット２００に対し着脱可能であってもよい。
【００４３】
図３及び図４の例において、装着部材２１１は、軸Ａが接眼レンズ３０４の上下方向の中心軸Ｑと平行となるように取り付けられている。また、リンク部材２１３がリンク固定部材２１２の上方で支持され、且つ、軸Ｂおよび軸Ｃが、接眼レンズ３０４のレンズ軸Ｌおよび軸Ｑのそれぞれと直交するように、装着部材２１１に対するリンク固定部材２１２の回転角度は調節されている。その結果、図３に示すように、装着部材２１１が手術顕微鏡３に装着された装着状態において、表示ユニット保持部材２１４によって、接眼レンズ３０４の周りに表示画面２０１が配置される。より詳細には、接眼レンズ３０２に対して表示画面２０１が上下方向の同じ位置（つまり、同じ高さ）に並んで配置される。その結果、接眼レンズ３０４と表示画面２１１との間での使用者による視線移動が容易になる。
【００４４】
また、この場合において、本実施形態では、軸Ｂを中心とするリンク部材２１３の旋回と、スライダによる表示ユニット保持部材２１４の移動とによって、表示ユニット２００の位置を、接眼レンズ３０４のレンズ軸Ｌと水平な面上の所定の調節範囲内で、前後左右に使用者眼に対し調節できる。表示装置２は、例えば、接眼レンズ３０４のレンズ軸Ｌ方向における表示ユニット２００の位置を変更することによって、レンズ軸Ｌ方向における表示画面２０１の接眼レンズ３０４に対する位置を調節可能である。接眼レンズ３０４を覗く場合と、表示画面２０１を覗く場合とで、使用される眼の調節力に差があるほど、視線移動に伴う使用者の負担は大きくなる。これに対し、本実施形態では、レンズ軸Ｌ方向における接眼レンズ３０４に対する表示画面２０１の位置が調節できる。レンズ軸Ｌ方向における表示画面２０１の位置が調節されることによって、使用者眼の視度の誤差を補正できる。即ち、接眼レンズ３０４を覗く場合と、表示画面２０１を覗く場合との各場合で使用される調節力の差を、使用者に応じて低減できる。
【００４５】
また、リンク部材２１３に対して表示ユニット保持部材２１４が回転（つまり、自転）することによって、表示ユニット２００が接眼レンズ３０４のレンズ軸Ｌに対して表示画面２０１の正面方向がなす角度ω（図４参照）が調節される。また、本実施形態では、軸Ａを中心とするリンク固定部材２１２の回転によって、レンズ軸Ｌに対して表示画面の正面方向を仰向に、又は俯せに傾けることができる。使用者眼に対し表示画面２０１の正面方向を調節することによって、表示画面２０１の正面を使用者にとって見やすい角度に向けることができる。
【００４６】
なお、図３および図４では、装着機構２１０が右眼用の鏡筒３０２に装着される場合を示したが、本実施形態の装着機構２１０は、全く同じ構成で左眼用の鏡筒３０２に装着することもできる。左眼用の鏡筒３０２に装着する場合、図３および図４に示した表示装置２は、ｚ軸周りに１８０度回転された状態で装着される。よって、本実施形態では、表示画面２０１も１８０度回転された状態で取り付けられてしまう。そこで、制御部３０によって、表示画面２０１に表示する画像の回転角度を調節する処理が行われてもよい。例えば、表示画面２０１には、装着機構２１０が右眼用の鏡筒３０２に装着される場合に対し、ｚ軸周りに１８０度回転された画像（つまり、画像の上下および左右がそれぞれ反転された画像）が、左眼用の鏡筒３０２に装着された表示装置の画面にて表示されてもよい。なお、本実施形態では、左右の鏡筒３０２への装着を可能にするため、本実施形態において、装着機構２１０に含まれる各部材は、左右対称な形状に形成されている。
【００４７】
以上、実施形態に基づいて説明を行ったが、本発明は、上記実施形態に限定されることなく、様々に変形された態様で実施可能である。
【００４８】
例えば、上記実施形態では、表示装置２が手術顕微鏡３に装着される場合について説明した。しかし、表示装置２が装着される観察装置は、必ずしもこれに限定されるものではない。例えば、表示装置２は、鏡筒を有する他の観察装置に装着されてもよい。例えば、スリットランプ、内視鏡、および手術用でない顕微鏡等を例示できる。
【００４９】
上記実施形態では、鏡筒３０２と装着部材２１１およびバンドの間の摩擦力等を用いて表示装置２が手術顕微鏡３に対して固定されるが、装着機構２１０は、上記実施形態とは異なる方法で手術顕微鏡３に対して表示装置２を固定してもよい。例えば、装着機構２１０および手術顕微鏡３にそれぞれ係合部を設け、互いの係合部を係合させることによって、表示装置２を固定してもよい。また、接着剤や磁石などを用いて表示装置２を固定してもよい。
【００５０】
また、上記実施形態において、装着機構２１０は、鏡筒３０２に装着されたが、手術顕微鏡３の鏡筒３０２以外の位置に装着機構２１０は装着されてもよい。例えば、鏡筒ユニット３００に装着されるのであれば、基部３０１および鏡筒保持部３０３のいずれかに装着機構２１０は装着されてもよい。また、鏡筒ユニット３００以外の手術顕微鏡３の筐体に、装着機構２１０は装着されてもよい。
【００５１】
また、装着機構２１０は、表示ユニット２００を上下方向に変位可能な機構を有していてもよい。例えば、図５（ｃ）に示すように、装着部材２１１の連結部２１１ｂに形成される貫通口を、上下方向に長い長穴２１１ｃ（スロット）としてもよい。長穴２１１ｃにおいてリンク固定部材２１２が固定される位置を上下方向に動かすことによって、表示ユニット２００の位置が、使用者眼に対して上下方向に調節される。例えば、上記実施形態の装着機構２１０は、上記実施形態の鏡筒３０２（図５ａ参照）とは外周の径が異なる鏡筒４０２（図５ｂ参照）に装着する場合、鏡筒の径に応じて表示ユニット２００の位置が上方に又は下方にずれてしまう。これに対し、装着機構２１０に表示ユニット２００を上下方向に変位可能な機構を備える場合は、表示ユニット２００の位置が上下方向に変更されることによって、接眼レンズ３０４の高さ中心と表示画面２０１の高さ中心との位置ずれを低減できる。
【００５２】
また、上記実施形態では、軸Ｂを中心とするリンク部材２１３の旋回と、リンク部材２１３の長手方向への表示ユニット保持部材２１４の移動を許容するスライダとによって、表示ユニット２００は、接眼レンズ３０４のレンズ軸Ｌとおよび接眼レンズ３０４の上下方向の中心軸Ｑとに直交する軸を中心に所定の範囲を移動できる。しかし、必ずしも、表示ユニット２００の位置決めを行うための機構は、上記機構に限定されない。例えば、装着機構２１０は、２以上のリンク部材が直列接続されたリンク機構を有していてもよい。また、装着機構２１０は、それぞれが異なる方向へ表示ユニット２００を移動させる２つ以上のスライダ（例えば、ｘスライダおよびｚスライダ）が設けられてもよい。
【００５３】
また、図６に示すように、鏡筒３０２の側面に取り付けられる板状部材２３１と、表示ユニット保持部２３２とを有する装着機構２３０によって、表示ユニット２００が位置決めされてもよい。図６の例では、板状部材２３１には、同じ大きさで複数の開口２３１ａが板面にて複数並べて設けられている。また、表示ユニット保持部材２３２は、いずれかの開口２３１ａに挿入される挿入部２３２ａが形成される。挿入部２３２ａをいずれかの開口２３１ａに挿入することによって、表示ユニット２００が位置決めされる。また、図７の例では、開口の無い板状部材２４１と、表示ユニット保持部材２４２とを有する装着機構２４０によって、表示ユニット２００が位置決めされる。表示ユニット保持部材２４２は、板状部材２４１を挟むためのバイス（又はクリップ）を有する。図７の例では、板状部材にバイスを固定するときの位置および向きに応じて表示ユニット２００が位置決めされる。
【００５４】
上記実施形態において、光断層像撮影装置１の制御部３０は、表示画面２０１に表示する画像の向き（角度）を調整できるものとして説明したが、制御部３０は、表示画面２０１に表示する画像を、左右対称又は上下対称なものにする制御を行う構成であってもよい。
【００５５】
また、上記実施形態において、装着機構２１０は、手術顕微鏡３に装着された装着状態において、表示ユニット２００の位置を所定の調節範囲で調節できるものとして説明したが、必ずしもこれに限られるものではなく、装着機構２１０は、手術顕微鏡３に装着された装着状態において、表示ユニット２００の位置を調節する自由度を持たない構成であってもよい。
【００５６】
また、上記実施形態では、表示ユニット２００は、光断層像撮影装置１によって得られた被検体の組織の断層画像（上記実施形態では、被検眼眼底の断層画像）を表示するものとして説明したが、被検体の画像が表示される場合において表示ユニット２００において表示される画像は、上記の画像に限定されるものではない。表示ユニット２００には、被検体の組織の断層画像の他、被検体内部の組織の画像であって、手術顕微鏡３の接眼レンズ３０４を介して観察される正面像とは異なる画像の表示が行われてもよい。例えば、接眼レンズ３０４を介して観察される正面像とは表示態様（例えば、表示倍率等）、撮影方法、および撮影に用いる装置うち少なくともいずれかが異なる画像が表示されてもよい。より具体的には、手術顕微鏡３の接眼レンズ３０４を介して観察される画像の拡大画像、予め撮影された被検体内部の蛍光撮影画像、手術顕微鏡３とは別種の装置によって予め撮影された被検体の画像などが、表示ユニット２００で表示されてもよい。
【符号の説明】
【００５７】
１    光断層像撮影装置
２    表示装置
３    手術顕微鏡
４    プローブ
１０    測定部
１８    検出器
３０    制御部
３１    ＣＰＵ
３４    不揮発性メモリ
２００    表示ユニット
２０１    表示画面
２１０    装着機構
２１１    装着部材
２１２    リンク固定部材
２１３    リンク部材
２１４    表示ユニット保持部材
３０２    鏡筒
３０４    接眼レンズ
【図１】
2015197538.tif 000003
【図２】
2015197538.tif 000004
【図３】
2015197538.tif 000005
【図４】
2015197538.tif 000006
【図５】
2015197538.tif 000007
【図６】
2015197538.tif 000008
【図７】
2015197538.tif 000009